(57)【特許請求の範囲】
【請求項１】
大型サイロを周囲等間隔おきに受けて支持する大型サイロの計量用支持構造体であって、基礎に取り付けられる下側取付板と、この下側取付板上に載せられるロードセルと、このロードセルの上端に載せられ大型サイロを受けて固定する上側取付板とを備え、
上側取付板上に取り付けられる大型サイロの支持金具には下側取付板から立設する複数本の支持ボルトを貫通させる孔部が形成され、この各孔部にそれぞれ支持ボルトを貫通させた状態で孔部から上方に突出する支持ボルトの雄ねじ部にナットを螺合させ、ナットと支持金具との間に僅かな隙間を保持するように構成してなる浮き上がり防止機構と、
前記ロードセルの配設位置を挟む位置で上側取付板の下面に設けた受け金具に先端が近接するように下側取付板の上面のブラケットのねじ孔に螺入する水平方向に向く支持ボルトを設け、支持ボルトは先端が前記受け金具の平行な２枚の受け部の外面側に向き合うようにブラケットのねじ孔に螺入され、この支持ボルトの先端と前記受け部との間に僅かな隙間を保持するように構成してなる水平方向の揺れ防止機構とを設けてなることを特徴とする大型サイロの計量用支持構造体。
【発明の詳細な説明】
【０００１】
【発明の属する技術分野】
本発明は、大型サイロをロードセルを介して支持する大型サイロの計量用支持構造体に関するものである。
【０００２】
【従来の技術】
従来からセメントなどの粉粒体が入れられる大型サイロをロードセルを介して支持する計量用支持構造体が知られており、これは、ロードセルに大型サイロの重量が正確に伝わるように支持できる構成でなければならない。つまり、大型サイロを上下方向および水平方向に完全に拘束してしまうと大型サイロの重量がロードセルに伝わらなくなり、大型サイロが地震などによる揺れによって倒れない程度に縦方向および水平方向において大型サイロを支持しているのが現状である。
【０００３】
そこで、大型サイロが地震などによる揺れによって倒れない程度に縦方向および水平方向において大型サイロを支持する構成として、具体的には大型サイロの下端に位置するロードセル配設部において大型サイロの重量がロードセルに働くように支持し、またこのロードセル配設部よりも上方において大型サイロの周囲適当間隔おきに大型サイロの外側に位置する壁面と大型サイロの外面との間に水平方向にターンバックル状の支持金具を介在させて僅かの遊びをもって水平動できるように支持するものが知られている。
【０００４】
しかしながら、このような大型サイロの支持構造は大型サイロの下端では大型サイロの縦方向の支持を行なう金具が、また大型サイロの側部では大型サイロの水平方向の支持を行なう金具がそれぞれ必要となり、大型サイロの支持部の数が多くなり、大型サイロの設置時の作業性が悪く、コストアップに繋がるという問題があった。
【０００５】
【発明が解決しようとする課題】
本発明はこのような課題を解決するもので、大型サイロの縦方向および水平方向の支持を行なえる機能を合わせ持った大型サイロの計量用支持構造体を提供し、大型サイロの設置時の作業性の向上、延いてはコストダウンを図るようにすることを目的とするものである。
【０００６】
【課題を解決するための手段】
この課題を解決するために本発明は、大型サイロを周囲等間隔おきに受けて支持する大型サイロの計量用支持構造体であって、基礎に取り付けられる下側取付板と、この下側取付板上に載せられるロードセルと、このロードセルの上端に載せられ大型サイロを受けて固定する上側取付板とを備え、上側取付板には下側取付板から立設する複数本の支持ボルトを貫通させる孔部が形成され、この各孔部にそれぞれ支持ボルトを貫通させた状態で孔部から上方に突出する支持ボルトの雄ねじ部にナットを螺合させ、ナットと上側取付板との間に僅かな隙間を保持するように構成してなる浮き上がり防止機構と、前記ロードセルの配設位置を挟む位置で上側取付板の下面に設けた受け金具に先端が近接するように下側取付板の上面のブラケットのねじ孔に螺入する水平方向に向く支持ボルトを設け、支持ボルトは先端が前記受け金具の平行な２枚の受け部の外面側に向き合うようにブラケットのねじ孔に螺入され、この支持ボルトの先端と前記受け部との間に僅かな隙間を保持するように構成してなる水平方向の揺れ防止機構とを設けてなることを要旨とするものである。また本発明は、大型サイロを周囲等間隔おきに受けて支持する大型サイロの計量用支持構造体であって、基礎に取り付けられる下側取付板と、この下側取付板上に載せられるロードセルと、このロードセルの上端に載せられ大型サイロを受けて固定する上側取付板とを備え、上側取付板上に取り付けられる大型サイロの支持金具には下側取付板から立設する複数本の支持ボルトを貫通させる孔部が形成され、この各孔部にそれぞれ支持ボルトを貫通させた状態で孔部から上方に突出する支持ボルトの雄ねじ部にナットを螺合させ、ナットと支持金具との間に僅かな隙間を保持するように構成してなる浮き上がり防止機構と、前記ロードセルの配設位置を挟む位置で上側取付板の下面に設けた受け金具に先端が近接するように下側取付板の上面のブラケットのねじ孔に螺入する水平方向に向く支持ボルトを設け、支持ボルトは先端が前記受け金具の平行な２枚の受け部の外面側に向き合うようにブラケットのねじ孔に螺入され、この支持ボルトの先端と前記受け部との間に僅かな隙間を保持するように構成してなる水平方向の揺れ防止機構とを設けてなることを要旨とするものである。
【０００７】
この構成により、大型サイロの縦方向および水平方向の支持を行なえる機能を合わせ持った大型サイロの計量用支持構造体を提供し、大型サイロの設置時の作業性の向上、延いてはコストダウンを図るようにすることができる。
【０００８】
【発明の実施の形態】
以下、本発明の実施の形態について、図面に基づいて説明する。
先ず、図１〜図６に示す第１の実施の形態について説明すると、１は基礎２の水平面上に全周溶接により取り付けられる平面形状が長方形の金属製の下側取付板で、この下側取付板１の上面中央には計量用手段としてのロードセル３が載せられ、このロードセル３の上端の円錐状頭部の頂部（図示せず）は平面形状が長方形で前記下側取付板１と同じ大きさの金属製の上側取付板４の下面中央の凹部４ａ内に嵌入された金属円盤５の下面中央部の窪み（図示せず）に当接するようにしてセットされる。つまり、上側取付板４は中央部がロードセル３で受けられ、その長さ方向両端部において短辺に沿う２箇所で下側取付板１から立設する上下方向に向く支持ボルト６によって上下方向の支持がなされ、また前記ロードセル３の配設位置を挟む位置で上側取付板４の下面に設けた受け金具７に先端が近接するように下側取付板１の上面のブラケット８のねじ孔９に水平に螺入する水平方向に向く支持ボルト１０によって水平方向の支持がなされるようになっている。さらに詳しくは、前記上側取付板４の下面の受け金具７は前記下側取付板１の長手方向に軸芯が向く前記支持ボルト１０の軸芯方向に対して直角に向く互いに平行な受け部１１を備え、この互いに平行な受け部１１間を補強するための補強部１２を受け部１１間に備えている。また、前記下側取付板１のブラケット８に取り付けられる支持ボルト１０は先端が平行な２枚の受け部１１の外面側に向き合うようにブラケット８のねじ孔９に螺入され、この支持ボルト１０の先端と前記受け部１１との間に２〜３ｍｍ程度の隙間を保持するようにブラケット８のねじ孔９から突出する支持ボルト１０の雄ねじ部１３に弛み止め用のナット１４が螺合されている。また、前記上側取付板４には下側取付板１から立設する合計４本の支持ボルト６を貫通させる孔部１５が形成され、この各孔部１５にそれぞれ支持ボルト６を貫通させた状態で孔部１５から上方に突出する支持ボルト６の雄ねじ部１６に座金１７を介してナット１８を螺合させ、ナット１８と座金１７との間、言い換えれば座金１７と上側取付板４との間に２〜３ｍｍ程度の隙間を保持するようになっている。なお、孔部１５の内径は支持ボルト６の外径よりも５ｍｍ程度大きくなっている。
【０００９】
本実施の形態の計量用支持構造体は以上のような構成となっており、被計量構造物としての大型サイロ１９を所定位置に取り付ける前に、大型サイロ１９の周囲４箇所に相当する箇所においてそれぞれ計量用支持構造体の下側取付板１を基礎２上に全周溶接により取り付ける。つまり、大型サイロ１９を周囲４箇所の計量用支持構造体で受けるようにする。前記下側取付板１と上側取付板４との間にロードセル３を組み込んだ状態で、大型サイロ１９を４つの計量用支持構造体の上側取付板４上に載せる。詳しくは、大型サイロ１９の下端における周囲４箇所に一体的に設けた支持金具２０を上側取付板４上に載せ、支持金具２０を上側取付板４に対し溶接により取り付ける。なお、前記大型サイロ１９を受ける４つの計量用支持構造体はそれぞれを正面から見て前記各部材が同じ位置関係となるよう基礎２上に取り付けられている。
【００１０】
上記のように基礎２上に４つの計量用支持構造体を介して大型サイロ１９を支持した状態において、地震などにより水平方向に不測の揺れが生じたときは前記下側取付板１上の左右の支持ボルト１０の少なくとも一方の先端が前記受け部１１の外面に当接することにより大型サイロ１９の大きな揺れが防止され、また地震などにより縦方向に不測の揺れが生じたときは前記下側取付板１から立設する支持ボルト６の上端に螺合するナット１８により上側取付板４上に載る大型サイロ１９の浮き上がりが防止され、大型サイロ１９が倒れるのを防止することができる。なお、水平方向の揺れを止める支持ボルト１０の先端と前記受け部１１の外面との間に２〜３ｍｍ程度の隙間が保持されるとともに孔部１５の内面と支持ボルト６の外面との間に同等の隙間が保持され、縦方向の揺れを止める座金１７と上側取付板４との間に２〜３ｍｍ程度の隙間が保持されているのは、これらの隙間を無くした状態で大型サイロ１９を設置して揺れによる大型サイロ１９の倒れ防止を行なうことも考えられるが、上記隙間を無くして大型サイロ１９を拘束してしまうと大型サイロ１９からの荷重がロードセル３に掛からなくなり、計量用支持構造体としての機能が発揮できなくなるからである。
【００１１】
次に、図７〜図９に示す第２の実施の形態について説明すると、前記第１の実施の形態では大型サイロ１９の支持金具２０を上側取付板４に対し溶接により取り付け、上側取付板４を下側取付板１から立設する支持ボルト６と嵌合させて支持ボルト６の上端に螺合するナット１８により浮き上がり防止を行なうように構成されているが、第２の実施の形態では上側取付板４を下側取付板１から立設する支持ボルト６に嵌合させず、上側取付板４上に載る大型サイロ１９の支持金具２０を下側取付板１から立設する支持ボルト６と嵌合させて支持ボルト６の上端に螺合するナット１８により浮き上がり防止を行なうように構成している。なお、大型サイロ１９の支持金具２０は上側取付板４上に載った状態でボルト２１およびナット２２により上側取付板４に締結される。他の構成は前記第１の実施の形態と同様である。
【００１２】
【発明の効果】
以上のように本発明によれば、大型サイロの縦方向および水平方向の支持を行なえる機能を合わせ持った大型サイロの計量用支持構造体を提供し、大型サイロの設置時の作業性の向上、延いてはコストダウンを図るようにすることができる。
【図面の簡単な説明】
【図１】本発明の第１の実施の形態における計量用支持構造体の斜視図である。
【図２】同計量用支持構造体の正面図である。
【図３】同計量用支持構造体の側面図である。
【図４】同計量用支持構造体の断面図である。
【図５】同計量用支持構造体で大型サイロを受けた状態を示す斜視図である。
【図６】同計量用支持構造体で大型サイロを受けた状態を示す正面図である。
【図７】本発明の第２の実施の形態における計量用支持構造体の斜視図である。
【図８】同計量用支持構造体の正面図である。
【図９】同計量用支持構造体の側面図である。
【符号の説明】
１    下側取付板
２    基礎
３    ロードセル
４    上側取付板
６    支持ボルト
７    受け金具
８    ブラケット
９    ねじ孔
１０    支持ボルト
１１    受け部
１３    雄ねじ部
１４    弛み止め用のナット
１５    孔部
１６    雄ねじ部
１７    座金
１８    ナット
１９    大型サイロ
２０    支持金具
２１    ボルト
２２    ナット
【図１】
0003556197.tif 000002
【図２】
0003556197.tif 000003
【図３】
0003556197.tif 000004
【図４】
0003556197.tif 000005
【図５】
0003556197.tif 000006
【図６】
0003556197.tif 000007
【図７】
0003556197.tif 000008
【図８】
0003556197.tif 000009
【図９】
0003556197.tif 000010